(57)【要約】【課題】低照度の場所での測定などにおいて、測定時に操作者が一時照度計から離れることを可能とし、かつ、照度の表示値が保持されたタイミングを操作者が明確に知ることを可能とする照度計を提供する。【解決手段】受光部２と、受光部２による受光に応じた照度を測定する計測部３と、計測部３により測定された照度を表示する液晶画面４１を備えた表示部４と、液晶画面４１を照明するライト５と、を有する照度計１は、操作されてから所定時間が経過したときの液晶画面４１における照度の表示値を保持するためのキー６５を備えた操作部６と、キー６５が操作されてから所定時間が経過したときの液晶画面４１における照度の表示値を保持させる保持実行手段３２と、キー６５の操作に応じて液晶画面４１における照度の表示値が保持されたことに応じてライト５により液晶画面４１を照明させる照明実行手段３２と、を有する構成とする。【選択図】図３
2015049052.tif 000002
【特許請求の範囲】
【請求項１】
受光部と、
前記受光部による受光に応じた照度を測定する計測部と、
前記計測部により測定された照度を表示する液晶画面を備えた表示部と、
前記液晶画面を照明するライトと、
を有する照度計において、
操作されてから所定時間が経過したときの前記液晶画面における照度の表示値を保持するためのキーを備えた操作部と、
前記キーが操作されてから前記所定時間が経過したときの前記液晶画面における照度の表示値を保持させる保持実行手段と、
前記キーの操作に応じて前記液晶画面における照度の表示値が保持されたことに応じて前記ライトにより前記液晶画面を照明させる照明実行手段と、
を有することを特徴とする照度計。
【請求項２】
前記照明実行手段は、前記キーの操作に応じて前記液晶画面における照度の表示値が保持された直後に、前記ライトにより前記液晶画面を照明させることを特徴とする請求項１に記載の照度計。
【請求項３】
前記ライトは、前記液晶画面を照明するバックライト又はフロントライトであることを特徴とする請求項１又は２に記載の照度計。
【請求項４】
更に、音を発する発音部と、前記キーの操作に応じて前記発音部に音を発させる発音実行手段と、を有することを特徴とする請求項１〜３のいずれか一項に記載の照度計。
【請求項５】
前記発音実行手段は、前記キーが操作されたことに応じて前記液晶画面における照度の表示値が保持されるまで第１の音を前記発音部から発させ、前記キーの操作に応じて前記液晶画面における照度の表示値が保持されたことに応じて前記第１の音とは異なる第２の音を前記発音部から発させることを特徴とする請求項４に記載の照度計。
【請求項６】
前記第１の音は断続音であり、第２の音は連続音であることを特徴とする請求項５に記載の照度計。
【請求項７】
更に、前記所定時間を変更する変更手段を有することを特徴とする請求項１〜６のいずれか一項に記載の照度計。
【発明の詳細な説明】
【技術分野】
【０００１】
本発明は、例えば室内照明の明るさや照明機器の照度を測定するために用いられる照度計に関するものである。
【背景技術】
【０００２】
従来、光電池、光電管、ホトダイオードなどの光電効果素子を受光センサに用いて、外部から受けた光を電気信号に変えて照度の測定を行なう照度計が使用されている。
【０００３】
照度計は、受光センサなどを備える受光部と、各種キーなどを備える操作部と、液晶画面などを備える表示部と、演算制御装置などを備える計測部と、を有して構成される。また、操作部には、液晶画面における照度の表示値を保持（ホールド）するためのホールドキーが設けられている。ホールドキーが押されることにより、典型的にはほぼホールドキーが押された瞬間の照度の表示値が保持され、液晶画面に照度が数字などで表示される。
【０００４】
液晶は自ら発光しないので、表示部の液晶画面から測定の障害となるような光が受光部に入ることはないが、測定の対象とする光が弱く、周囲が暗い場合には、測定した照度の値を液晶画面に表示しても読み取り難い。
【０００５】
そこで、液晶画面を照明するバックライトなどのライトを設け、操作部にライトを点灯させるためのライトキーを設けて、必要なときにライトにより液晶画面を照明して、照度の表示値を読み取り易くすることが行われている（特許文献１）。なお、液晶画面を照明するためにライトを点灯すると、その光が受光部の受光センサに入るため、照度を正確に測定できなくなる。したがって、バックライトを常に点灯させておくことはできず、照度の表示値を保持した後に、バックライトを点灯する必要がある。
【先行技術文献】
【特許文献】
【０００６】
【特許文献１】特許第３４２１１５７号公報
【発明の概要】
【発明が解決しようとする課題】
【０００７】
ところで、上述のように測定の対象の光が弱く、周囲が暗い場合、例えば、非常灯の照度を確認する場合のように１０ルクス以下といった非常に低照度の場所などでは、操作者の影が照度の測定に影響を与えることがある。
【０００８】
そこで、キーを操作してから所定時間経過したときの液晶画面における照度の表示値を保持するようにして、その間操作者が照度計から離れた場所に退避することが考えられる。
【０００９】
しかしながら、このように単に所定時間経過したときの表示値を保持する方法では、表示値が保持されたタイミングを操作者が明確に知ることは難しく、操作者の時間感覚に依ることとなる。そして、操作者が必要以上の時間待つことになると、作業効率が低下することがある。一方、表示値が保持される前に操作者が照度計に近づいてしまうと、操作者の影の影響で正確な測定ができなくなることがある。
【００１０】
したがって、本発明の目的は、低照度の場所での測定などにおいて、測定時に操作者が一時照度計から離れることを可能とし、かつ、照度の表示値が保持されたタイミングを操作者が明確に知ることを可能とする照度計を提供することである。
【００１１】
また、本発明の他の目的は、低照度の場所での測定などにおいて、測定時に操作者が一時照度計から離れることを可能とし、かつ、照度の表示値が保持されたらすぐにそれを読み取ることを可能とする照度計を提供することである。
【課題を解決するための手段】
【００１２】
上記目的は本発明に係る照度計にて達成される。要約すれば、本発明は、受光部と、前記受光部による受光に応じた照度を測定する計測部と、前記計測部により測定された照度を表示する液晶画面を備えた表示部と、前記液晶画面を照明するライトと、を有する照度計において、操作されてから所定時間が経過したときの前記液晶画面における照度の表示値を保持するためのキーを備えた操作部と、前記キーが操作されてから前記所定時間が経過したときの前記液晶画面における照度の表示値を保持させる保持実行手段と、前記キーの操作に応じて前記液晶画面における照度の表示値が保持されたことに応じて前記ライトにより前記液晶画面を照明させる照明実行手段と、を有することを特徴とする照度計である。
【００１３】
本発明の一実施態様によると、前記照明実行手段は、前記キーの操作に応じて前記液晶画面における照度の表示値が保持された直後に、前記ライトにより前記液晶画面を照明させる。また、本発明の一実施態様によると、前記ライトは、前記液晶画面を照明するバックライト又はフロントライトである。また、本発明の一実施態様によると、照度計は更に、音を発する発音部と、前記キーの操作に応じて前記発音部に音を発させる発音実行手段と、を有する。この場合、前記発音実行手段は、前記キーが操作されたことに応じて前記液晶画面における照度の表示値が保持されるまで第１の音を前記発音部から発させ、前記キーの操作に応じて前記液晶画面における照度の表示値が保持されたことに応じて前記第１の音とは異なる第２の音を前記発音部から発させることができ、例えば、前記第１の音は断続音であり、第２の音は連続音である。また、本発明の一実施態様によると、照度計は更に、前記所定時間を変更する変更手段を有する。
【発明の効果】
【００１４】
本発明によれば、低照度の場所での測定などにおいて、測定時に操作者が一時照度計から離れることを可能とし、かつ、照度の表示値が保持されたタイミングを操作者が明確に知ることを可能とすることができる。また、本発明によれば、低照度の場所での測定などにおいて、測定時に操作者が一時照度計から離れることを可能とし、かつ、照度の表示値が保持されたらすぐにそれを読み取ることを可能とすることができる。
【図面の簡単な説明】
【００１５】
【図１】本発明の一実施例に係る照度計の外観を示す平面図である。
【図２】本発明の一実施例に係る照度計の構成を示すブロック図である。
【図３】本発明の一実施例におけるタイマホールド動作の手順を示すフローチャートである。
【図４】本発明の一実施例におけるタイマホールド動作の手順の他の例を示すフローチャートである。
【図５】本発明の一実施例において適用し得るバックライトを任意に点灯、消灯する動作の手順を示すフローチャートである。
【図６】本発明の一実施例において適用し得る表示値を任意に保持、解除する動作の手順を示すフローチャートである。
【図７】本発明の他の実施例に係る照度計の構成を示すブロック図である。
【図８】本発明の他の実施例におけるタイマホールド動作の手順を示すフローチャートである。
【発明を実施するための形態】
【００１６】
以下、本発明に係る照度計を図面に則して更に詳しく説明する。
【００１７】
実施例１
図１は、本発明の一実施例に係る照度計の外観を示す平面図、図２は、その照度計の構成を示すブロック図である。
【００１８】
図１、図２に示すように、照度計１は、その外部から光を受ける受光部２と、受光部２による受光に応じた照度を測定する計測部３と、計測部３により測定された照度を表示する液晶画面４１を備えた表示部４と、液晶画面４１を照明するライトとしてのバックライト５と、各種操作を行うための操作部６と、を有する。
【００１９】
受光部２には、光電効果素子としてのホトダイオードなどの受光センサ２１が、外部に臨むように設けられている。また、受光部２には、図示しない増幅器、Ａ−Ｄ変換器なども設けられている。
【００２０】
計測部３は、演算制御装置であるマイクロコンピュータ３１を有する。マイクロコンピュータ３１は、制御の中心的素子であるＣＰＵ（中央処理装置）３２、記憶素子であるＲＯＭ（読出し専用メモリ）３３及びＲＡＭ（読出し書込み可能メモリ）３４などを有する。ＣＰＵ３２は、プログラムの命令に従って照度計１の全体に対する制御を実行すると共に、算術、論理演算を行なって測定結果としての照度データを求め、その結果を一時的に記憶もする。ＲＯＭ３３には、照度計１の全体を制御するための制御プログラムが格納されている。また、ＲＡＭ３４には、ＣＰＵ３２で演算した照度データなどが記憶される。ＲＯＭ３３、ＲＡＭ３４、受光部２、表示部４、バックライト５、操作部６などは、ＣＰＵ３２と接続されている。
【００２１】
表示部４には、液晶画面（液晶ディスプレイ）４１が、外部に臨むように設けられている。液晶画面４１には、計測部３により測定された照度の値の他、選択したレンジ、照度の表示値の保持状態の有無などが表示される。
【００２２】
バックライト５は、表示部４が有する例えば透過型或いは半透過型等の液晶画面４１の背後に設置されている。バックライト５は、光源の他、導光部材（ライトガイド）、光拡散部材（拡散板）、光反射部材（反射板）などのいずれか又は全てを有して構成される。光源としては、発光ダイオード、有機ＥＬなどを使用することができる。本実施例では、バックライト５は、液晶画面４１の略全面を照明する。
【００２３】
操作部６には、図１中左側から右側に向かって順に、押下することで操作するメカニカルキーである、ホールドキー６１、レンジキー６２、０調整キー６３、バックライトキー６４、タイマホールドキー６５が、一列に並べられて外部に臨むように設けられている。ホールドキー６１は、液晶画面４１における照度の表示値を必要なときに（典型的には押した瞬間の表示値を）保持するために操作されるキーである。レンジキー６２は、照度の測定範囲たるレンジを例えば５段階に切り換え、あるいは照度に合わせて最適なレンジを自動的に選択可能にするために操作されるキーである。０調整キー６３は、キャップで受光センサ２１を覆った時に表示される照度の値を０に調節するために操作されるキーである。バックライトキー６４は、必要なときにバックライト５を点灯、消灯するために操作されるキーである。タイマホールドキー６５は、詳しくは後述するように、操作されてから所定時間が経過したときの液晶画面４１における照度の表示値を保持するために操作されるキーである。
【００２４】
次に、本実施例の照度計１の動作を説明する。ここでは、まず、本実施例にて特徴的な、タイマホールド動作について説明する。タイマホールド機能は、これに限定されるものではないが、操作者の影が照度の測定に影響を与える可能性のある、低照度の（暗い）場所における測定などで有効な機能である。図３は、本実施例におけるタイマホールド動作の手順を示すフローチャートである。
【００２５】
照度の測定に先立ち、受光部２の受光センサ２１を適宜キャップで覆ったり、外したりしながら、レンジキー６２、０調整キー６３を押し、レンジを設定し、照度の表示値を０に調整する。そして、低照度の場所などでタイマホールド機能を用いた照度の測定を行う場合、所望の場所に照度計１を置くなどして配置した後、タイマホールドキー６５を押す。すると、タイマホールドキー６５を離してから所定時間経過したときの液晶画面４１における照度の表示値が保持されるので、それまで操作者は自らの影が照度の測定に影響しないように照度計１から離れた場所に退避などすることができる。このとき、上記所定時間は予め設定されているものの、照度計１から離れた場所から、表示値が保持されたタイミングを明確にすることは難しい。また、低照度の場所では、液晶画面４１に表示された照度の表示値が読み取り難い。そこで、本実施例では、上記所定時間が経過したときの表示値を保持し、その後バックライト５を点灯させて、表示値が保持されたことを報知すると共に、その表示値を読み取り易くする。
【００２６】
図３を参照して、ＣＰＵ３２は、タイマホールドキー６５が押されると（Ｓ１０１）、その後タイマホールドキー６５が離された時、典型的にはほぼ離された瞬間からタイマスタート、すなわち、計時を開始する（Ｓ１０２）。
【００２７】
その後、ＣＰＵ３２は、予め設定されている所定時間、例えば５秒が経過したか否かを監視する（Ｓ１０３）。
【００２８】
そして、所定時間が経過したと判断した場合、ＣＰＵ３２は、該所定時間が経過した時、典型的にはほぼ経過した瞬間の液晶画面４１における照度の表示値を保持状態にする（Ｓ１０４）。また、ＣＰＵ３２は、その直後（感覚的にはほぼ同時）に、バックライト５を点灯させる（Ｓ１０５）。これにより、表示値が保持されたことが報知されると共に、液晶画面４１がバックライト５によって背後から照明を受けるため、暗い所でも液晶画面４１に表示された照度の表示値を容易に読み取ることができるようになる。また、必ず表示値が保持された後にバックライト５が点灯するため、バックライト５の光が受光部２の受光センサ２１に入っても、測定の障害にならない。その後、ＣＰＵ３２は、処理を終了させる。
【００２９】
このように、本実施例では、ＣＰＵ３２が、キー６５が操作されてから所定時間が経過したときの液晶画面４１における照度の表示値を保持させる保持実行手段（保持実行部）、及びキー６５の操作に応じて液晶画面４１における照度の表示値が保持されたことに応じてライト５により液晶画面４１を照明させる照明実行手段（照明実行部）としての機能を有する。
【００３０】
上述のようなタイマホールド動作によれば、操作者は、照度計１から離れた場所からでも、表示値が保持されたタイミングを明確に知ることができる。そのため、操作者が必要以上の時間待つことを抑制して、作業効率の低下を抑制することができる。また、バックライト５が点灯するため、低照度の場所でも、液晶画面４１に表示された照度の表示値をすぐに読み取ることができる。
【００３１】
なお、上述の所定時間は５秒に限定されるものではなく、適宜設定することができる。また、操作部６に該所定時間の変更手段としてキーなどを設けて、操作者が任意に該所定時間を変更できるようにしてもよい。
【００３２】
また、バックライト５の消灯は、点灯を開始して所定時間が経過した後に自動的に行うようにしてもよいし、操作部６におけるキーなどの操作によって行うようにしてもよい。表示値の保持状態の解除についても同様である。
【００３３】
例えば、タイマホールドキー６５をバックライト５の消灯、表示値の保持状態の解除のために用いることができる。図４は、この場合のタイマホールド動作の手順を示すフローチャートである。図４におけるＳ２０１、Ｓ２０３、Ｓ２０４、Ｓ２０５、Ｓ２０６の処理は、それぞれ図３におけるＳ１０１、Ｓ１０２、Ｓ１０３、Ｓ１０４、Ｓ１０５の処理と同じである。タイマホールドキー６５が押されると（Ｓ２０１）、ＣＰＵ３２は、液晶画面４１における照度の表示値の保持が解除状態であるか否かを判断し（Ｓ２０２）、解除状態である（Ｙｅｓ）と判断した場合はＳ２０３に進み、以降図３の場合と同様の処理を実行する。一方、保持状態である（Ｎｏ）と判断した場合、ＣＰＵ３２は、バックライト５が消灯状態であるか否かを判断する（Ｓ２０７）。バックライト５が消灯状態である（Ｙｅｓ）と判断した場合、ＣＰＵ３２は、液晶画面４１における照度の表示値の保持状態を解除する（Ｓ２０８）。一方、バックライト５が点灯状態である（Ｎｏ）と判断した場合、ＣＰＵ３２は、バックライト５を消灯状態にし（Ｓ２０９）、その後液晶画面４１における照度の表示値の保持状態を解除する（Ｓ２０８）。
【００３４】
また、本実施例のように操作部６にバックライト５の点灯、消灯を任意に切り替えるためのキー（バックライトキー）６４が設けられている場合、これによってバックライト５の消灯を行うことができる。図５は、この場合のバックライトの点灯、消灯の動作の手順を示すフローチャートである。ＣＰＵ３２は、バックライトキーが押されると（Ｓ３０１）、バックライト５が消灯状態であるか否かを判断する（Ｓ３０２）。バックライト５が消灯状態である（Ｙｅｓ）と判断した場合、ＣＰＵ３２は、バックライト５を点灯させる（Ｓ３０３）。一方、バックライト５が点灯状態である（Ｎｏ）と判断した場合、ＣＰＵ３２は、バックライト５を消灯させる（Ｓ３０４）。
【００３５】
また、本実施例のように操作部６に表示値の保持、解除を任意に切り替えるためのキー（ホールドキー）６１が設けられている場合、これによって表示値の保持状態の解除を行うことができる。図６は、この場合の表示値の保持、解除の動作の手順を示すフローチャートである。ＣＰＵ３２は、ホールドキー６１が押されると（Ｓ４０１）、液晶画面４１における照度の表示値の保持が解除状態であるか否かを判断する（Ｓ４０２）。解除状態である（Ｙｅｓ）と判断した場合、ＣＰＵ３２は、ホールドキー６１が押された時、典型的には押された瞬間の液晶画面４１における照度の表示値を保持状態にする（Ｓ４０３）。一方、保持状態である（Ｎｏ）と判断した場合、ＣＰＵ３２は、液晶画面４１における照度の表示値の保持状態を解除する（Ｓ４０４）。
【００３６】
以上、本実施例によれば、低照度の場所での測定などにおいて、測定時に操作者が一時照度計１から離れることが可能となり、かつ、照度の表示値が保持されたタイミングを操作者が明確に知ることが可能となる。また、本実施例によれば、低照度の場所での測定などにおいて、測定時に操作者が一時照度計１から離れることが可能となり、かつ、照度の表示値が保持されたらすぐにそれを読み取ることが可能となる。
【００３７】
実施例２
次に、本発明の他の実施例について説明する。本実施例の照度計の基本的な構成及び動作は実施例１のものと実質的に同じである。したがって、実施例１のものと同一又はそれに相当する機能、構成を有する要素には同一符号を付して、詳しい説明は省略する。
【００３８】
本実施例では、実施例１と同様に表示値が保持されたことを光により視覚的に判断できるようにすると共に、音により聴覚的にも判断できるようにする。
【００３９】
図７は、本実施例の照度計１の構成を示すブロック図である。図７に示すように、本実施例の照度計１は、図２に示す実施例１の照度計１に対して、発音部としてのスピーカー７を更に有している点が異なる。
【００４０】
次に、本実施例の照度計１の動作を説明する。ここでは、本実施例にて特徴的な、タイマホールド動作について説明する。図８は、本実施例におけるタイマホールド動作の手順を示すフローチャートである。
【００４１】
本実施例では、タイマホールドキー６５を押して離すと、計時が開始されると共に、スピーカー７から第１の音の発音が開始される。そして、タイマホールドキー６５を離してから所定時間が経過したときの表示値が保持され、スピーカー７からそれまで継続して発音されていた上記第１の音とは異なる第２の音が発音される。その後、バックライト５が点灯されると共に、スピーカー７からの第２の音が消音される。第１の音によってタイマホールド機能での測定が開始されたこと（すなわち、所定時間後にホールドされること）を聴覚的に明確に知ることができると共に、第２の音によって表示値が保持されたことを聴覚的に明確に知ることができる。また、実施例１と同様、バックライト５の点灯によって、表示値が保持されたことを視覚的に明確に知ることができると共に、その表示値が読み取り易くなる。
【００４２】
図８を参照して、ＣＰＵ３２は、タイマホールドキー６５が押されると（Ｓ５０１）、タイマホールドキー６５が離された時、典型的にはほぼ離された瞬間からタイマスタート、すなわち、計時を開始すると共に、それとほぼ同時にスピーカー７から例えば「ピッピッピッ」といったブザーの断続音（第１の音）の発音を開始させる（Ｓ５０２）。
【００４３】
その後、ＣＰＵ３２は、予め設定されている所定時間、例えば５秒が経過したか否かを監視する（Ｓ５０３）。この間、上記ブザーの断続音の発音は継続されている。
【００４４】
そして、所定時間が経過したと判断した場合、ＣＰＵ３２は、該所定時間が経過した時、典型的にはほぼ経過した瞬間の液晶画面４１における照度の表示値を保持状態にすると共に、それとほぼ同時にスピーカー７から例えば「ピー」といったブザーの連続音（第２の音）の発音を開始させる（すなわち、ブザー音を断続音から連続音に変化させる）（Ｓ５０４）。また、ＣＰＵ３２は、表示値が保持された直後（感覚的にはほぼ同時）にバックライト５を点灯させると共に、上記ブザーの連続音を一定時間発音させた後に消音させる（Ｓ５０５）。その後、ＣＰＵ３２は、処理を終了させる。
【００４５】
このように、本実施例では、ＣＰＵ３２が、キー６５の操作に応じてスピーカー７に音を発させる発音実行手段（発音実行部）としての機能を有し、キー６５が操作されたことに応じて液晶画面４１における照度の表示値が保持されるまで第１の音（例えば断続音）をスピーカー７から発させ、またキー６５の操作に応じて液晶画面４１における照度の表示値が保持されたことに応じて第１の音とは異なる第２の音（例えば連続音）をスピーカー７から発させる。
【００４６】
上述のようなタイマホールド動作によれば、操作者は、照度計１から離れた場所からでも、表示値が保持されたタイミングを、視覚的及び聴覚的に明確に知ることができる。また、バックライト５が点灯するため、低照度の場所でも、液晶画面４１に表示された照度の表示値をすぐに読み取ることができる。また、ブザー音によりタイマホールド機能が動作していることを把握できるので、例えば通常のホールド機能と間違えて測定をやりなおす必要が生じるようなことを抑制することができる。
【００４７】
以上、本実施例によれば、実施例１と同様の効果をより高いレベルで達成することができる。
【００４８】
その他
本発明を具体的な実施例に則して説明したが、本発明は上述の実施例に限定されるものではない。
【００４９】
例えば、液晶画面を照明するライトは、バックライトに限定されるものではなく、液晶画面をその前面から照明するフロントライトなど、液晶画面を照明して表示値を読み取り易くできるものであれば、任意のライトを用いることができる。低照度の場所などでは、このような任意のライトの発する光により、表示値が保持されたことを視覚的に十分に明確に報知することができる。表示値の見やすさなどの観点から、液晶画面の略全面を照明するライトが好ましい。
【００５０】
また、操作部のキーは、押下することで操作するメカニカルキーに限定されるものではなく、静電容量検知式のタッチパネル式スイッチなどの、キーの物理的な移動を伴わないものであってもかまわない。
【００５１】
また、発音部が発する音は、ブザー音に限定されるものではなく、音声（所定の言語によるアナウンスを含む）や音楽であってもよい。そして、第１の音、第２の音は、それぞれ上述の実施例における断続音、連続音に限定されるものではなく、互いに異なる音を任意に用いることができる。また、第１の音、第２の音のいずれか又は両方は、複数種類の音で構成されていてもよい。例えば、第１の音として、タイマホールドの所定時間の終了時期に近づくにつれて複数段階に順次に変化していく複数種類の音とすることができる。第２の音についても同様に、一定の発音期間において複数段階に変化する音とすることができる。
【００５２】
また、計時の基準となるタイマホールドキーの操作は、該キーを押した状態から離した時（典型的にはその瞬間）であるとして説明したが、これに限定されるものではなく押した時（典型的にはその瞬間）などであってもよい。
【符号の説明】
【００５３】
１          照度計
２          受光部
３          計測部
４          表示部
５          バックライト
６          操作部
７          スピーカー
３２        ＣＰＵ
４１        液晶画面
６５        タイマホールドキー
【図１】
2015049052.tif 000003
【図２】
2015049052.tif 000004
【図３】
2015049052.tif 000005
【図４】
2015049052.tif 000006
【図５】
2015049052.tif 000007
【図６】
2015049052.tif 000008
【図７】
2015049052.tif 000009
【図８】
2015049052.tif 000010